(57)【特許請求の範囲】
【請求項１】
密閉容器内に電動機と圧縮部を配置し、同圧縮部を、鏡板に渦捲き状のラップを有する固定スクロールと、同固定スクロールと互いに噛み合わせて複数の圧縮室を形成する旋回スクロールと、同旋回スクロールをスラスト受面を形成して摺動自在に支持するメインフレームと、同メインフレームと前記旋回スクロール背面との間に設けられ、同旋回スクロールをその自転を阻止しながら公転旋回をさせるオルダムリングと、前記固定スクロールの軸方向に吸入管を介して前記圧縮部の吸入室へ吸入ガスを導く吸入孔とを備え、スクロールの中心方向に移動するに従って容積を縮小するように前記両スクロールの相対運動により吸入ガスを圧縮してなるスクロール圧縮機において、
前記旋回スクロールの鏡板に、前記吸入孔に少なくとも一部が相対向し、前記吸入室と前記旋回スクロール背面とを連通する第一貫通孔を設けるとともに、同第一貫通孔と径方向略１８０度対称位置の前記旋回スクロールのラップ外周部に第二貫通孔を設け、前記旋回スクロール背面に前記吸入ガスを導入してなることを特徴とするスクロール圧縮機。
【請求項２】
前記吸入ガスを、前記第一貫通孔から前記旋回スクロール背面に導入し、前記第二貫通孔から前記旋回スクロールのラップ側に戻すようにしてなることを特徴とする請求項１記載のスクロール圧縮機。
【発明の詳細な説明】
【０００１】
【発明の属する技術分野】
本発明は、スクロール圧縮機に係り、詳しくは旋回スクロールの鏡板に、圧縮部の吸入室と旋回スクロール背面を連通する複数の貫通孔を設け、旋回スクロール背面に吸入ガスを導入し、オルダムリングの摺動部を冷却することができる構造に関する。
【０００２】
【従来の技術】
従来のこの種スクロール圧縮機には、例えば、図３、図４、図５および図７に示すようなものがある。図において、密閉容器１内に電動機２と圧縮部３を配置し、同圧縮部３を、鏡板4aに渦捲き状のラップ4bを有する固定スクロール４と、同固定スクロール４と互いに噛み合わせて複数の圧縮室５を形成する旋回スクロール6'と、同旋回スクロール6'をスラスト受面7aを形成して摺動自在に支持するメインフレーム７と、同メインフレーム７と前記旋回スクロール6'の背面との間に設けられ、前記旋回スクロール6'をその自転を阻止しながら公転旋回をさせる環状のオルダムリング８と、前記圧縮部３にガスを吸入する吸入室９と、前記固定スクロール４の軸方向に吸入管10を介して吸入室９へ吸入ガスを導く吸入孔11とを備え、スクロールの中心方向に移動するに従って容積を縮小するように前記固定スクロール４と旋回スクロール6'の相対運動により吸入ガスを圧縮する構成となっている。
【０００３】
電動機２が回転すると、メインフレーム７に装着したシャフト13の上部に形成した偏心軸14を介して、スクロール軸6cによって旋回スクロール6'をオルダムリング８で自転を防止しながら旋回運動をさせる。
旋回スクロール6'の旋回運動によって吸入管10から圧縮部３に吸入された低圧冷媒は圧縮室５の外周部から中心部へ順次移動しながら圧縮され高圧冷媒となり、吐出口15から連通路16通して吐出管17から機外に送出される。
【０００４】
前記メインフレーム７は、図３に示すように、軸受7bの外周に旋回スクロール6'を摺動自在に支持する環状のスラスト受面7aを形成し、前記軸受7bと外側背圧室7c間を仕切っている。また、直線状のキー溝7dが相対向して設けられている。また、前記旋回スクロール6'は図４に示すように、鏡板6a' の背面に、内側に旋回軸受を備えたスクロール軸6cが設けられ、同スクロール軸6cにシャフトの先端の偏心軸14が挿入される。また、直線状のキー溝6eが相対向して設けられている。
【０００５】
また、自転防止機構を形成している前記オルダムリング８は、図５に示すように、環状の部材の両面に互いに直交する突起状のキー8a,8b を形成し、同キー8aに前記旋回スクロール6'のキー溝6eを係合して摺動させる一方、前記キー8bに前記メインフレーム７のキー溝7dを係合して摺動させ、それぞれ直線的な往復運動を行う構造となっている。これにより、旋回スクロール6'が固定スクロール４に対して自転することなく旋回運動する。
【０００６】
しかしながら、上記構成において、前記旋回スクロール6'の背面は冷媒ガスの流れがほとんどなく、よって、前記オルダムリング８のキー8a,8b 部分は摺動摩擦により、温度が上昇し焼き付きやすいという問題があった。
【０００７】
【発明が解決しようとする課題】
本発明は上記問題点に鑑みなされたもので、旋回スクロールの鏡板に、圧縮部の吸入室と旋回スクロール背面を連通する複数の貫通孔を設け、旋回スクロール背面に吸入ガスを導入し、オルダムリングの摺動部を冷却することより、オルダムリングの焼き付きを防止し、信頼性を向上することができるスクロール圧縮機を提供することを目的としている。
【０００８】
【課題を解決するための手段】
本発明は上記の課題を解決するためなされたもので、密閉容器内に電動機と圧縮部を配置し、同圧縮部を、鏡板に渦捲き状のラップを有する固定スクロールと、同固定スクロールと互いに噛み合わせて複数の圧縮室を形成する旋回スクロールと、同旋回スクロールをスラスト受面を形成して摺動自在に支持するメインフレームと、同メインフレームと前記旋回スクロール背面との間に設けられ、同旋回スクロールをその自転を阻止しながら公転旋回をさせるオルダムリングと、前記固定スクロールの軸方向に吸入管を介して前記圧縮部の吸入室へ吸入ガスを導く吸入孔とを備え、スクロールの中心方向に移動するに従って容積を縮小するように前記両スクロールの相対運動により吸入ガスを圧縮してなるスクロール圧縮機において、
前記旋回スクロールの鏡板に、前記吸入孔に少なくとも一部が相対向し、前記吸入室と前記旋回スクロール背面とを連通する第一貫通孔を設けるとともに、同第一貫通孔と径方向略１８０度対称位置の前記旋回スクロールのラップ外周部に第二貫通孔を設け、前記旋回スクロール背面に前記吸入ガスを導入する構成となっている。
【０００９】
また、前記吸入ガスを、前記第一貫通孔から前記旋回スクロール背面に導入し、前記第二貫通孔から前記旋回スクロールのラップ側に戻す構成となっている。
【００１０】
【発明の実施の形態】
本発明の実施の形態について、実施例の図面に基づいて詳細に説明する。
図１と、図２と、図３と、図４および図５において、密閉容器１内に電動機２と圧縮部３を配置し、同圧縮部３を、鏡板4aに渦捲き状のラップ4bを有する固定スクロール４と、同固定スクロール４と互いに噛み合わせて複数の圧縮室５を形成する旋回スクロール６と、同旋回スクロール６をスラスト受面7aを形成して摺動自在に支持するメインフレーム７と、同メインフレーム７と前記旋回スクロール６の背面との間に設けられ、前記旋回スクロール６をその自転を阻止しながら公転旋回をさせる環状のオルダムリング８と、前記圧縮部３にガスを吸入する吸入室９と、前記固定スクロール４の軸方向に吸入管10を介して吸入室９へ吸入ガスを導く吸入孔11とを備え、スクロールの中心方向に移動するに従って容積を縮小するように前記固定スクロール４と旋回スクロール６の相対運動により吸入ガスを圧縮する構成となっている。
【００１１】
前記旋回スクロール６の鏡板6aに、前記吸入孔11に少なくとも一部が相対向し、前記吸入室９と前記旋回スクロール６の背面とを連通する第一貫通孔12a を設けるとともに、同第一貫通孔12a と径方向略１８０度対称位置の前記旋回スクロール６のラップ6b外周部に第二貫通孔12b を設け、前記旋回スクロール６の背面に前記吸入ガスを導入する構成となっている。
【００１２】
前記メインフレーム７は、図３に示すように、軸受7bの外周に旋回スクロール６を摺動自在に支持する環状のスラスト受面7aを形成し、前記軸受7bと外側背圧室7c間を仕切っている。また、直線状のキー溝7dが相対向して設けられている。
【００１３】
前記旋回スクロール６は、図４に示すように、鏡板6aの背面に、内側に旋回軸受を備えたスクロール軸6cが設けられ、同スクロール軸6cにシャフト13の先端の偏心軸14が挿入される。また、直線状のキー溝6eが相対向して設けられている。
【００１４】
自転防止機構を形成している前記オルダムリング８は、図５に示すように、環状の部材の両面に互いに直交する突起状のキー8a,8b を形成し、同キー8aに前記旋回スクロール６のキー溝6eを係合して摺動させる一方、前記キー8bに前記メインフレーム７のキー溝7dを係合して摺動させ、それぞれ直線的な往復運動を行う構造となっている。これにより、旋回スクロール６が固定スクロール４に対して自転することなく旋回運動する。
なお、図６は前記旋回スクロール６を上面から見た図で、第一貫通孔12a と、同第一貫通孔12a と径方向略１８０度対称位置の前記旋回スクロール６のラップ6b外周部に第二貫通孔12b を設けた構成を示したものである。
【００１５】
上記構成において、前記旋回スクロール６の鏡板6aに、前記吸入孔11に少なくとも一部が相対向し、前記吸入室９と前記旋回スクロール６の背面とを連通する第一貫通孔12a を設けるとともに、同第一貫通孔12a と径方向略１８０度対称位置の前記旋回スクロール６のラップ6b外周部に第二貫通孔12b を設け、前記第一貫通孔12a より前記旋回スクロール６の背面に前記吸入ガスを導入し、前記第二貫通孔12b より前記旋回スクロール６のラップ6bに再びガスを戻すことにより、前記旋回スクロール６の背面にガスの流れを形成し、オルダムリング８の摺動部を冷却することより、オルダムリング８の焼き付きを防止し、信頼性を向上することができるスクロール圧縮機となる。
【００１６】
【発明の効果】
以上のように本発明においては、旋回スクロールの鏡板に、圧縮部の吸入室と旋回スクロール背面を連通する複数の貫通孔を設け、旋回スクロール背面に吸入ガスを導入し、オルダムリングの摺動部を冷却することより、オルダムリングの焼き付きを防止し、信頼性を向上することができるスクロール圧縮機となる。
【図面の簡単な説明】
【図１】本発明によるスクロール圧縮機の縦断面図である。
【図２】本発明によるスクロール圧縮機の要部拡大断面図である。
【図３】本発明および従来例によるメインフレームの要部拡大縦断面図である。
【図４】本発明および従来例による旋回スクロールの要部拡大縦断面図である。
【図５】本発明および従来例によるオルダムリングの要部拡大縦断面図である。
【図６】本発明による旋回スクロールの上面図である。
【図７】従来例によるスクロール圧縮機の縦断面図である。
【符号の説明】
１  密閉容器
２  電動機
３  圧縮部
４  固定スクロール
4a  固定スクロール鏡板
4b  固定スクロールラップ
５  圧縮室
６  旋回スクロール
6a  旋回スクロール鏡板
6b  旋回スクロールラップ
７  メインフレーム
7a  スラスト受面
８  オルダムリング
９  吸入室
10  吸入管
11  吸入孔
12a   第一貫通孔
12b   第二貫通孔
【図１】
0004415496.tif 000002
【図２】
0004415496.tif 000003
【図３】
0004415496.tif 000004
【図４】
0004415496.tif 000005
【図５】
0004415496.tif 000006
【図６】
0004415496.tif 000007
【図７】
0004415496.tif 000008